(57)【要約】【課題】改竄が困難であるとともに、より複雑で特徴のある視覚効果を示し、個別情報を潜像として記録可能であり、真贋の判断を容易に行うことが可能な画像表示体を提供する。【解決手段】基材の一方の面に、複数本の線状の凸部を形成し、凸部の高さを、表示する画像に対応した高さに変化させ、巻き取られたフィルムに剥離層と接着層との順に形成された転写リボンと、サーマルヘッドを用いた熱転写によって凸部を形成し、表示する画像の観察方向に対して直交する方向の線状に凸部を形成する。【選択図】図５
2015182452.tif 000002
【特許請求の範囲】
【請求項１】
基材の一方の面に形成した複数本の線状の凸部を備え、
前記凸部の一部の高さを、表示する画像に対応した高さに変化させたことを特徴とする画像表示体。
【請求項２】
前記凸部は、巻き取られたフィルムに剥離層と接着層が順に形成された転写リボンに対する、サーマルヘッドを用いた熱転写によって形成されていることを特徴とする請求項１に記載した画像表示体。
【請求項３】
前記剥離層の厚みと前記接着層の厚みとの合計は、０．２μｍ以上３０μｍ以下の範囲内であることを特徴とする請求項２に記載の画像表示体。
【請求項４】
前記剥離層が拡散剤を含んでいることを特徴とする請求項２または請求項３に記載した画像表示体。
【請求項５】
前記凸部は、前記表示する画像の観察方向に対して直交する方向の線状に形成することを特徴とする請求項１から請求項４のうちいずれか１項に記載した画像表示体。
【請求項６】
隣り合う前記凸部間の幅である繰返し幅は、０．００５ｍｍ以上０．５ｍｍ以下の範囲内であり、
前記凸部と、隣り合う前記凸部間に形成された凹部とを、１：９〜９：１の範囲内の比率で同一箇所に複数回転写することを特徴とする請求項１から請求項５のうちいずれか１項に記載した画像表示体。
【請求項７】
前記複数回の転写のうち一回の転写は、表示する画像の全ての領域に前記凸部を転写することを特徴とする請求項６に記載した画像表示体。
【発明の詳細な説明】
【技術分野】
【０００１】
本発明は、例えば、個人認証に利用可能な画像表示体に関するものである。
【背景技術】
【０００２】
ＩＤ（ＩＤｅｎｔｉｆｉｃａｔｉｏｎ）カードやパスポート等、個人認証媒体は、目視による個人認証を可能とするために、顔画像を使用している場合が多い。
個人認証媒体の一例であるパスポートは、所有者の顔画像を表示する所有者表示部を有している。顔写真の掲載による顔画像の表示は、顔写真の張り替えによる改竄のおそれがあるため、近年の所有者表示部は、顔写真の掲載に代えて、所有者の顔画像を紙面に再現して固定することを採用している。
画像再現方法には、例えば、蛍光インクを用いて顔画像を再現する方法、無色または淡色の蛍光染料と有色の顔料とを含むインクを用いて顔画像を再現する方法、パール顔料を用いて顔画像を再現する方法等が知られている（例えば、特許文献１〜３を参照）。
【先行技術文献】
【特許文献】
【０００３】
【特許文献１】特開２０００−１４１８６３号公報
【特許文献２】特開２００２−２２６７４０号公報
【特許文献３】特開２００３−１７０６８５号公報
【発明の概要】
【発明が解決しようとする課題】
【０００４】
しかしながら、上述した画像再現方法で再現された顔画像であっても、顔画像の有する視覚効果が簡素であるため、偽造や改竄が容易であり、顔画像の真偽を目視で判別することが困難であるという問題を有する。
本発明は、このような問題点を解決しようとするものであり、改竄が困難であるとともに、より複雑で特徴のある視覚効果を示し、個別情報を潜像として記録可能であり、真贋の判断を容易に行うことが可能な画像表示体を提供することを目的とする。
【課題を解決するための手段】
【０００５】
本発明の一態様は、基材の一方の面に形成した複数本の線状の凸部を備え、
前記凸部の一部の高さを、表示する画像に対応した高さに変化させたことを特徴とする画像表示体である。
また、本発明の一態様は、前記凸部は、巻き取られたフィルムに剥離層と接着層が順に形成された転写リボンに対する、サーマルヘッドを用いた熱転写によって形成されていることを特徴とする画像表示体である。
また、本発明の一態様は、前記剥離層の厚みと前記接着層の厚みとの合計は、０．２μｍ以上３０μｍ以下の範囲内であることを特徴とする画像表示体である。
【０００６】
また、本発明の一態様は、前記剥離層が拡散剤を含んでいることを特徴とする画像表示体である。
また、本発明の一態様は、前記凸部は、前記表示する画像の観察方向に対して直交する方向の線状に形成することを特徴とする画像表示体である。
また、本発明の一態様は、前記凸部と、隣り合う前記凸部間に形成された凹部とを、１：９〜９：１の範囲内の比率で同一箇所に複数回転写することを特徴とする画像表示体である。
また、本発明の一態様は、前記複数回の転写のうち一回の転写は、表示する画像の全ての領域に前記凸部を転写することを特徴とする画像表示体である。
【発明の効果】
【０００７】
本発明の一態様であれば、個別情報を潜像として記録することにより、目視による真偽の判別が容易な、個人認証媒体を提供することが可能となる。
【図面の簡単な説明】
【０００８】
【図１】本発明の第一実施形態の画像表示体の一例であり、画像表示部を備えた個人認証媒体を画像表示部の設けられた紙面を開いた状態で示す平面図である。
【図２】転写リボンの構造を示す断面図である。
【図３】１層の画像表示部の構造を示す側面図である。
【図４】図３のＩＶ線矢視図であり、１層の画像表示部の画像を示す平面図である。
【図５】２層の画像表示部の構造を示す側面図である。
【図６】図５のＶＩ線矢視図であり、２層の画像表示部の画像を示す平面図である。
【図７】画像表示体の真偽判定の観察方法を示す側面図である。
【図８】転写リボンの一例を示す構成図である。
【図９】本発明の第一実施形態の画像表示体を個人認証媒体に形成するプリンタの一例を示す構成図である。
【発明を実施するための形態】
【０００９】
以下、本発明の実施形態について、図面を参照しつつ説明する。
（第一実施形態）
以下、本発明の第一実施形態（以下、本実施形態と記載する）について、図面を参照しつつ説明する。
（個人認証媒体１０の構成）
図１中に示すように、個人認証媒体１０は、綴込み紙１１と、表紙１２によって構成される冊子体であって、複数の紙面１３を有している。
表紙１２は、個人情報を含む画像を表示する表示機能を有し、綴込み紙１１を挟むように、二つに折られている。
ここで、個人情報は、所有者の認証に利用される個人認証情報を含み、例えば、生体情報と非生体個人情報に分類される。
【００１０】
生体情報は、所有者の有する生体的な特徴を示す。また、生体情報は、例えば、顔、指紋、静脈、虹彩のうち、少なくとも一つであって、光学的手法によって読み取り可能な形式で記録されている。
非生体個人情報は、生体情報以外の個人情報である。また、非生体個人情報は、例えば、氏名、生年月日、年齢、血液型、性別、国籍、住所、本籍地、電話番号、所属、身分のうち、少なくとも一つである。なお、非生体個人情報は、タイピングによって形成された文字であってもよいし、所有者の手書きの署名であってもよいし、これらの組み合わせであってもよい。
また、表紙１２は、第１画像表示部１５と、第２画像表示部１６と、第３画像表示部１７と、第４画像表示部１８と、第５画像表示部１９を備えている。
【００１１】
第１画像表示部１５及び第２画像表示部１６は、光の波長及び振幅を記録された部分であって、光の吸収を利用して画像を表示する。すなわち、例えば、第１画像表示部１５及び第２画像表示部１６に白色光が照射されるとき、第１画像表示部１５及び第２画像表示部１６の各部位は、そこに記録された光の波長や光の振幅に応じた可視光を反射して視認可能な画像を表示する。
また、第１画像表示部１５及び第２画像表示部１６は、例えば、染料及び顔料を、形成材料として含む。また、第１画像表示部１５及び第２画像表示部１６は、サーマルヘッドを用いた熱転写記録法、インクジェット記録法、電子写真法、または、これらの２つ以上の組み合わせによって形成される。
なお、第１画像表示部１５及び第２画像表示部１６は、感熱発色剤を含んだ層に対するレーザビームによる描画によっても形成されてもよいし、これら方法の組み合わせによって形成されてもよい。また、第１画像表示部１５及び第２画像表示部１６のうち少なくとも一つは、ホットスタンプを用いた熱転写記録法によって形成されてもよく、印刷法によって形成されてもよく、これらの組み合わせによって形成されてもよい。
【００１２】
第３画像表示部１７は、光の波長、光の振幅及び位相を記憶する部分であって、光の回折を利用して画像を表示する。これは、例えば、第３画像表示部１７に白色光が照射されるとき、第３画像表示部１７の各部位は、そこに記録された光の波長、光の振幅及び位相に応じた光を回折して視認可能な画像を表示する。
第４画像表示部１８は、回折格子を有したホログラム素子を有している。また、第４画像表示部１８は、例えば、サーマルヘッドを用いた熱転写記録と、ホットスタンプまたは熱ロールを用いた熱転写記録とをこの順に行うことによって形成される。
第１画像表示部１５及び第４画像表示部１８の表示する画像は、所有者の顔画像である。ここで、第１画像表示部１５の表示する画像に含まれる顔画像と、第４画像表示部１８の表示する画像に含まれる顔画像とは、外形寸法が等しくてもよく、異なってもよい。
【００１３】
また、第１画像表示部１５及び第４画像表示部１８の表示する画像の各々は、顔画像の代わりに他の生体情報を含んでもよく、顔画像に加えて顔画像以外の生体情報をさらに含んでもよい。
第４画像表示部１８の表示する画像は、生体情報の代わりに非生体個人情報を含んでもよく、生体情報に加えて非生体個人情報をさらに含んでもよい。また、第４画像表示部１８の表示する画像は、個人情報の代わりに非個人情報を含んでもよく、個人情報に加えて非個人情報を更に含んでもよい。
第２画像表示部１６の表示する画像は、非生体個人情報と非個人情報とを含む。また、第２画像表示部１６の表示する画像は、例えば、文字、記号、符号、及び、標章の１つ以上から構成されている。
【００１４】
第３画像表示部１７の表示する画像は、地紋である。これは、例えば、第３画像表示部１７の表示する画像が、第１画像表示部１５の表示する顔画像や、第４画像表示部１８の表示する顔画像と重なることによって、個人認証媒体１０の改竄はさらに抑えられる。
なお、第５画像表示部１９の構成については、後述する。
紙面１３には、文字列や地紋等の紙面情報１４が印刷されている。なお、紙面１３は、個人情報が記録されたＩＣチップや、外部と非接触で通信するためのアンテナ等を有してもよい。
【００１５】
（第５画像表示部１９の構成）
第５画像表示部１９は、図２中に示す転写リボン２０を用いて形成されている。
転写リボン２０は、基材２１と、基材２１の上に位置する剥離層２２と、接着層２３を備えている。
基材２１は、例えば、樹脂フィルムと、樹脂フィルムよりも厚く、且つその厚みよりも十分に広い表面を有した平面的な樹脂製の薄板を含む樹脂シートである。また、基材２１は、例えば、ポリエチレンテレフタレート等、耐熱性に優れた材料から形成されている。なお、基材２１は、接着層２３を支持する基材であって、接着層２３を支持する基材２１の面には、剥離層２２の代わりに、例えば、フッ素樹脂、または、シリコーン樹脂を含む離型層が設けられてもよい。
また、第５画像表示部１９は、図３中に示すように、被転写体３１と、第１層目の転写画像である第一転写画像３２を備えている。
【００１６】
第一転写画像３２は、剥離層２２と接着層２３が、第５画像表示部１９の被転写体３１に転写されて形成されている。具体的には、第一転写画像３２は、被転写体３１に接着層２３を密着させ、さらに、サーマルヘッドを基材２１側から密着させ、サーマルヘッドで加熱して、ストライプ状の転写画像を転写することにより形成されている。
また、被転写体３１に転写する第一転写画像３２としては、例えば、図４中に示すように、第５画像表示部１９の領域全面に均一のストライプ状の画像を用いる。なお、第一転写画像３２を被転写体３１に転写する際に、複数回転写する転写のうち一回は、表示する画像の全ての領域に、線状の凸部を転写する。
また、被転写体３１に、第２層目の転写画像である第二転写画像５２を転写する際には、図５中に示すように、第一転写画像３２を転写した状態の被転写体３１に、接着層２３を密着させ、さらに、サーマルヘッドを基材２１側から密着させ、サーマルヘッドで加熱して、ストライプ状の転写画像を転写する。ここで、第二転写画像５２を転写する位置は、第一転写画像３２の転写位置と同一とする。
【００１７】
本実施形態では、一例として、第二転写画像５２として、英文字の「ＡＢ」を表す画像を用いる場合を説明する。このため、本実施形態では、被転写体３１に第二転写画像５２を転写すると、第５画像表示部１９には、図６中に示すように、英文字の「ＡＢ」を表す画像が表示されることとなる。ここで、第二転写画像５２は、文字のある部分は２層目を重ね、文字の無い部分では１層目のみの凸部となっている。
なお、本実施形態では、一例として、剥離層２２と接着層２３の厚みの合計を、０．２μｍ以上３０μｍ以下の範囲内とした場合について説明する。これは、正面から観察した場合には画像を認識しにくく、傾斜した方向から観察した場合には画像をより認識しやすくなり、正面から観察した画像と、傾斜した方向から観察した画像のコントラストが大きくなり、表示画像をより視認し易い画像表示体となるためである。
【００１８】
また、剥離層２２は拡散剤を含んでいる画像表示体であり、被転写体３１に第一転写画像３２及び第二転写画像５２を転写した状態では、剥離層２２が最表面となる。このため、剥離層２２に拡散剤を含ませることで、被転写体３１に第一転写画像３２及び第二転写画像５２を転写した状態で、ストライプ状の凸部が認識しやすくなる。特に、傾斜した角度から観察すると、拡散剤を含んだ樹脂層を斜めから観察することとなり、拡散の効果が大きくなる。
【００１９】
また、図７中に示すように、被転写体３１に対して垂直方向にある視点７１から観察した場合には、被転写体３１に転写された第２層目の第二転写画像５２は、第１層目の第一転写画像３２と同化して認識されず、第１層目の転写画像である、全面に均一のストライプ状の画像として認識される。
しかしながら、被転写体３１に転写されたストライプ状の直線を軸として、視点７１から傾斜した方向にある視点７２から観察した場合、第２層目の転写画像５２が分離して観察されるため、第二転写画像５２を認識することが可能となる。
【００２０】
すなわち、上述した構成の被転写体３１であれば、被転写体３１を、観察方向に対して直交する方向の直線を軸として傾斜した方向から観察することで、上述した画像を視認することが可能となる。また、転写リボン２０とサーマルヘッドを用いることで、個別情報を潜像として記録することが可能となる。
ここで、本実施形態では、一例として、複数本の線状の凸部（第一転写画像３２、第二転写画像５２）は、表示する画像の観察方向に対して直交する方向の線状に形成し、各凸部の繰返し幅は、０．００５ｍｍ以上とした場合を説明する。これは、一般的なサーマルヘッドの解像度が、約１２００ｄｐｉから２４００ｄｐｉ程度であることによる。また、分解能としては０．０２１ｍｍ程度から０．０１１ｍｍ程度となる。
【００２１】
また、本実施形態では、一例として、複数本の線状の凸部の繰返し幅は、０．５ｍｍ以下とした場合を説明する。これは、複数本の線状の凸部の繰返し幅を、０．５ｍｍを超える間隔とすると、傾斜しても画像を認識することが出来なくなるためである。
また、本実施形態では、一例として、凸部と凹部の比率を、１対９〜９対１の範囲内とした場合を説明する。これは、傾斜した方向から観察する傾斜角度として、垂直方向からの角度を小さくすることが可能であり、さらに、画像を観察可能な確度範囲を広くすることが可能となるためである。
ここで、被転写体３１としては、表面が、カードのような平坦であることが望ましく、パスポートの場合には、転写表面が紙素材ではなく、ポリカーボネートのような樹脂製、または、樹脂をコーティングしてある冊子であることが望ましい。これは、表面の凹凸の影響により、記録している潜像の視認性が落ちてしまうためである。
【００２２】
また、転写リボン２０は、図８中に示すように、所定の位置から観察した場合に、赤、緑、青のそれぞれの波長の回折光を観察できるような回折格子パネルを有している。また、転写リボン２０は、第４画像表示部１８を転写する際に、Ｒ（赤）パネル８１、Ｇ（緑）パネル８２、Ｂ（青）パネル８３を用いて、第４画像の、赤、緑、青の、それぞれの画像を転写する。
また、第５画像表示部１９を転写する際には、転写リボン２０のＣパネル８４を用いて第５画像を転写する。Ｃパネル８４は、２回転写するので、Ｒパネル８１、Ｇパネル８２、Ｂパネル８３よりも、長さが長くなっている。
また、転写リボン２０は、第５画像を２回転写する際に、１回目に転写した複数本の線状の凸部の位置に、２回目の転写を正確に行うために必要な、位置決めマーク８５を備えている。
【００２３】
（プリンタの構成）
本実施形態の画像表示体を個人認証媒体１０に形成するプリンタ９０は、図９中に示すように、挿入ユニット９１を備えている。
プリンタ９０を用いて画像表示体を個人認証媒体１０に形成する際には、まず、挿入ユニット９１から挿入された個人認証媒体１０を、コンベアーによって、サーマルヘッド９４とプラテンロール９５に運ぶ。
そして、転写リボン２０を巻出し９３に配置し、巻出し９３と巻取り９６によって巻きだされた転写リボン２０を、サーマルヘッド９４とプラテンロール９５の間で、個人認証媒体１０に密着させる。
さらに、転写リボン２０の位置決めマーク８５により転写位置を決定し、サーマルヘッド９４とプラテンロール９５によって画像を転写する。また、第４画像表示部１８を転写する際には、Ｒパネル８１を転写した後、プラテンロール９５を逆転し、Ｇパネル８２を転写する位置まで個人認証媒体１０を移動させ、プラテンロール９５の正転と逆転を繰返して、Ｂパネル８３から転写する。以上のような動作により、第４画像の転写を行う。
【００２４】
次に、転写リボン２０のＣパネル８４を用いて第５画像を転写する。具体的には、プラテンロール９５により、第５画像を転写する位置に個人認証媒体１０を移動して、一回目の第５画像を転写する。さらに、プラテンロール９５を逆転し、一回目の転写位置と同一箇所に二回目の第５画像を転写する。そして、第５画像を２回転写した後、個人認証媒体１０を、排出ユニット９７によって排出する。
なお、図９中に示した構成では、第４画像及び第５画像を、個人認証媒体１０に直接転写しているが、第４画像については、中間転写媒体に中間転写を行って、個人認証媒体１０に再度転写を行う方法もある。また、第５画像については、同一箇所に複数回の転写を行うことで、凸部の高さを設けているので、中間転写方式では転写できない。
【００２５】
以上のような方法で転写した個人認証媒体１０であれば、正面から観察した場合には画像を認識しにくく、傾斜した方向から観察した場合には画像をより認識しやすい画像表示体となり、個別情報を潜像として記録することで、目視による真偽の判別が容易となる。
なお、画像表示体が表示する画像は、顔画像に加えて他の生体情報を含んでもよいし、顔画像の代わりに他の生体情報を含んでもよい。また、画像表示体が表示する画像は、生体情報に加えて、非生体個人情報及び非個人情報のうち少なくとも一方を含んでもよいし、生体情報の代わりに、非生体個人情報及び非個人情報のうち少なくとも一方を含んでもよい。
【００２６】
また、画像表示体が表示する画像は、所有者の顔画像に限らず、例えば、文字、数字、記号、図形、模様や、これらの組み合わせであってもよい。
また、画像表示媒体は、個人認証媒体に限らず、例えば、クレジットカード、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や公衆電話用のプリペイドカード等であってもよい。
【００２７】
（第一実施形態の効果）
以下、本実施形態の効果を列挙する。
（１）画像表示体を観察方向に対して直交する方向の直線を軸として、傾斜した方向から観察することで、画像を視認することが可能となる。また、転写リボン２０とサーマルヘッドを用いることで、個別情報を潜像として記録することが可能となる。
（２）傾斜した方向から観察する傾斜角度の、垂直方向からの角度を小さくすることが可能となり、さらに、画像を観察可能な確度範囲を広くすることが可能となる。
（３）正面から観察した場合には画像を認識しにくく、傾斜した方向から観察した場合には画像をより認識しやすくなり、正面から観察した画像と、傾斜した方向から観察した画像のコントラストが大きくなり、表示画像をより視認し易い画像表示体を形成することが可能となる。
【符号の説明】
【００２８】
１０…個人認証媒体、１１…綴込み紙、１２…表紙、１３…紙面、１４…紙面情報、１５…第１画像表示部、１６…第２画像表示部、１７…第３画像表示部、１８…第４画像表示部、１９…第５画像表示部、２０…転写リボン、２１…基材、２２…剥離層、２３…接着層、３１…被転写体、３２…第一転写画像、５２…第二転写画像、７１…視点、７２…視点、８１…Ｒパネル、８２…Ｇパネル、８３…Ｂパネル、８４…Ｃパネル、８５…位置決めマーク、９０…プリンタ、９１…挿入ユニット、９３…巻出し、９４…サーマルヘッド、９５…プラテンロール、９６…巻取り、９７…排出ユニット
【図１】
2015182452.tif 000003
【図２】
2015182452.tif 000004
【図３】
2015182452.tif 000005
【図４】
2015182452.tif 000006
【図５】
2015182452.tif 000007
【図６】
2015182452.tif 000008
【図７】
2015182452.tif 000009
【図８】
2015182452.tif 000010
【図９】
2015182452.tif 000011